(57)【要約】      （修正有）【課題】モニターの背面に広告画像再生装置を取り付けることにより、設置場所における占有スペースを低減する。【解決手段】背面にディスプレイ用アームを取り付けるための２以上のネジ穴を有するモニターに対して広告用の動画もしくは静止画を再生させる広告画像再生装置として、所定の記録メディアに記憶された画像データを読み出し出力する再生装置本体と、前記再生装置本体に一体に形成され、前記２以上のネジ穴の位置に合致する取り付け穴を有する係合手段とを有するものである。【選択図】図１
0003109615.tif 000002
【実用新案登録請求の範囲】
【請求項１】
背面にディスプレイ用アームを取り付けるための２以上のネジ穴を有するモニターに対し、広告用の動画もしくは静止画を再生させる広告画像再生装置であって、
所定の記録メディアに記憶された画像データを読み出し出力する再生装置本体と、
前記再生装置本体に一体に形成され、前記２以上のネジ穴の位置に合致する取り付け穴を有する係合手段と
を有する広告画像再生装置。
【請求項２】
前記広告画像再生装置は、外部電源から電力の供給を受けるものであって、さらに、
前記外部電源から前記再生装置本体へ電気を導く電源入力端子と、
前記電源入力端子から分岐し、外部へ出力する電源出力端子と
を有する請求項１に記載の広告画像再生装置。
【請求項３】
前記広告画像生成装置は、さらに、
前記モニターの前の通過物を感知して電気信号を出力させるモーションセンサーと、
モーションセンサーの出力を受けて前記再生装置本体に所定の動作をさせるように制御するモーション制御手段と
を設けた請求項１又は２に記載の広告画像再生装置。
【請求項４】
前記モーション制御手段は、モーションセンサーの出力を受けて前記再生装置本体に画像データの出力を開始させるものである請求項３に記載の広告画像再生装置。
【請求項５】
前記再生装置本体は、前記記録メディアに記憶された音声データも読出し再生するものであって、
前記モーション制御手段は、モーションセンサーの出力を受けて前記再生装置本体に音声データの出力を開始させるものである請求項３又は４に記載の広告画像再生装置。
【請求項６】
前記再生装置本体に所定の指示を入力するリモートコントロール手段もしくはキーパッド手段の少なくともいずれかを有する
請求項１から５のいずれか１項に記載の広告動画再生装置。
【考案の詳細な説明】
【技術分野】
【０００１】
本考案はモニターに接続して広告用の画像を再生させる装置に関する。
【背景技術】
【０００２】
店頭などで、広告画像をモニターを通じて流すことはアイキャッチの効果が高く、近年広く行われている。モニターに画像を表示させる方法としては、モニターに家庭用のビデオデッキやＤＶＤデッキを接続する方法や、家庭用のビデオ一体型のテレビを利用する方法や、専用の再生装置を利用する方法などがある。
【考案の開示】
【考案が解決しようとする課題】
【０００３】
しかし、家庭用のビデオデッキやＤＶＤデッキ、ビデオ一体型のテレビは家庭において使用するものであるために、広告画像を流すために不要な機能が多く含まれるため、大きな物になっている。この結果として、設置場所の制約を受け、必ずしも望ましい設置場所で広告が流せないという問題が生じていた。また、専用の再生装置はモニターが一体となっているために、モニターの選択ができず設置場所の変更時などに柔軟に対応できないという問題がある。
一方、液晶のモニターには背面にアームを固定するための規格があり、多くの液晶のモニターには規格に沿ったネジ穴が設けられている。このネジ穴はアームを固定すること以外にも利用可能であり、専用の広告画像再生装置を固定するようにすれば設置場所の問題は生じない。
そこで、本考案はモニターの背面に広告画像再生装置を取り付けることにより、設置場所における占有スペースを低減するようにすることを課題とする。
【課題を解決するための手段】
【０００４】
上記課題を解決するために、本考案は次のような構成を有する。
請求項１に記載の考案は、背面にディスプレイ用アームを取り付けるための２以上のネジ穴を有するモニターに対して広告用の動画もしくは静止画を再生させる広告画像再生装置であって、所定の記録メディアに記憶された画像データを読み出し出力する再生装置本体と、  前記再生装置本体に一体に形成され、前記２以上のネジ穴の位置に合致する取り付け穴を有する係合手段とを有するものである。記録メディアは、ＲＯＭカード、フラッシュメモリー、ＣＤ−ＲＯＭ、ＤＶＤ、ハードディスクなどが例示される。
請求項２に記載の考案は、前記広告画像再生装置において、外部電源から電力の供給を受けるものである場合に、さらに、前記外部電源から前記再生装置本体へ電気を導く電源入力端子と、前記電源入力端子から分岐し、外部へ出力する電源出力端子とを有するものである。
請求項３に記載の考案は、前記広告画像再生装置において、前記モニターの前の通過物を感知して電気信号を出力させるモーションセンサーと、モーションセンサーの出力を受けて前記再生装置本体に所定の動作をさせるように制御するモーション制御手段とを、さらに設けたものである。
請求項４に記載の考案は、請求項３に記載の広告画像再生装置において、前記モーション制御手段は、モーションセンサーの出力を受けて前記再生装置本体に画像データの出力を開始させるものである。
請求項５に記載の考案は、請求項３又は４に記載の広告画像再生装置において、前記再生装置本体は、前記記録メディアに記憶された音声データも読出し再生するものであって、  前記モーション制御手段は、モーションセンサーの出力を受けて前記再生装置本体に音声データの出力を開始させるものである。
請求項６に記載の考案は、前記広告画像再生装置において、前記再生装置本体に所定の指示を入力するリモートコントロール手段もしくはキーパッド手段の少なくともいずれかを有するものである。
【考案の効果】
【０００５】
請求項１に記載の考案は、専用の広告画像再生装置とすることで小型化が可能であり、これをモニターの背面に固定することにより、ほぼ、モニターの設置スペースがあれば設置することができる。また、ディスプレイ用アームを取り付けるネジ穴を有するモニターであれば種々のものが選択でき、状況に応じて柔軟にモニターを変えることができる。
請求項２に記載の考案は、広告画像再生装置を電源入力端子を通して外部電源と接続し、電源出力端子をモニターの電源入力端子と接続することで、配線を簡易にすることができ、コードの絡まりなどを低減することができる。
請求項３から５に記載の考案は、モニターの前を通過物が通過するとそれに合わせて画像や音声が再生されるので、広告の対象者が通過した場合に注意を引く演出を行うことができる。
請求項６に記載の考案は、前記再生装置本体リモートコントロール手段もしくはキーパッド手段の少なくともいずれかにより操作することができるので、設置スペースに影響が少なく、また、タッチパネルに比較して低コストに製造することができる。
【考案を実施するための最良の形態】
【０００６】
以下、本考案の実施形態について、図を参照しながら説明する。
図１に実施の形態に係る広告画像再生装置Ｘの斜視図を示す。広告画像再生装置Ｘは、ケーシング２０に記録メディアに記憶された画像データを読出し出力する再生装置本体が内蔵されたものである。ケーシング２０には、液晶ディスプレイの背面に形成されるディスプレイ用アーム取り付け用のＶＥＳＡ規格に即したネジ穴の位置に固定できるような取り付け穴２１が設けられている。取り付け穴２１は、７５ｍｍ間隔に正方形状に４つ形成される。
ケーシング２０には、交流電源からＡＣアダプタを介して直流に変換された電源を入力する電源入力端子１６、電源入力端子１６から内部で分岐し電力を出力する電源出力端子１９、画像信号を出力するＶＧＡ出力端子１７、音声信号を出力するオーディオ出力端子１８、ＰＣカードを読み取るためにＰＣカードリーダー１２、図示しないリモコン装置の入力を受けるための赤外線受光部１３ｂが設けられ、また、コードを通じてキーパッド１４、モーションセンサ１５が接続されている。なお、画像信号の出力は、ここではＶＧＡ出力を使用しているが、コンポジット、Ｓ-Ｖｉｄｅｏなど種々のものを使用するようできる。
図２に広告画像再生装置Ｘに内蔵される再生装置本体１０の構成を模式的に表すブロック図を示す。再生装置１０は大きく分けて制御装置１１、ＰＣカードリーダー１２とから構成される。ＰＣカードリーダー１２は、ＰＣカードを読み取るものであり、ここでは広告画像データと音声データよりなる広告データが記憶されたフラッシュメモリーカード１２ａを読み取る。制御装置１１は、所定のプログラムに従ってＰＣカードリーダー１２を制御してフラッシュメモリーカード１２ａに記憶された広告データを読出し、オーディオ出力端子１８から音声データを、ＶＧＡ出力端子１７から画像データを出力する。制御装置１１の広告再生のプログラムは、接続されているキーパッド１４若しくは赤外線受光部１３ｂを介してリモコン装置１３ａから入力される操作者の指示に応じて適宜変更できるようになっている。制御装置１１は、モニターの前面側を感知するように設置されることが想定されるモーションセンサー１５が接続されており、通過者がモニターの前を通ると電気信号の入力を受けるようになっている。前記プログラムには、このモーションセンサーからの入力を受けて、再生装置本体１０に所定の動作を行わせるようなものがあり、この場合、制御装置はモーション制御手段として機能する。このようなプログラムとしては、モーションセンサーの出力を受けて、広告画像および音声の出力を開始するようなものや、モーションセンサーの出力を受けて、広告データを1回もしくは複数回流し、その後、広告とは別の映像信号に切り替えるものなどが例示される。
【０００７】
以上のような構成を有する広告画像再生装置Ｘの使用方法について説明する。図３にＶＥＳＡマウント規格に応じたディスプレイアーム取り付け用ネジ穴を背面に有する液晶モニターＹに広告画像再生装置Ｘを設置した状態を表す斜視図を示す。まず、液晶モニターＹの背面に設けられているディスプレイアーム取り付け用の図示しないネジ穴の位置に広告画像再生装置Ｘのケーシング２０に設けられた４つの取り付け穴２１を重ねて、ネジ３０により広告画像再生装置Ｘを液晶モニターＹの背面に固定する。その後、ＶＧＡ出力端子１７と液晶モニターＹの画像データ入力端子とをコード１７ａを介して接続し、オーディオ出力端子１８と液晶モニターＹのオーディオ入力端子とをコード１８aを介して接続し、電源出力端子１９と液晶モニターの電源入力端子とコード１９ａを介して接続する。また、キーパッド１４を液晶モニターの前面の縁部分に両面テープにより貼り付け、モーションセンサー１５も液晶モニターの側縁に粘着テープにより貼り付ける。そして、電源入力端子１６とＡＣアダプターからのコード１６ａと接続することでセッティングは完了する。この状態で、まず、使用者は予め広告データを作成して記憶させたフラッシュメモリーカード１２ａをＰＣカードリーダー１２にセットし、キーパッド１４若しくはリモコン装置１３ａにより再生プログラムを選択することで、広告画像がプログラムに従ってモニターＹに再生される。
このように広告画像再生装置Ｘはモニターの背面に取りける結果として、ほぼモニター自体の設置スペースで設置することができ、設置場所の制約が少なくなるとともに、ＶＥＳＡマウント規格によるネジ穴を有するモニターであればどのようなものでも使用できるので、状況に応じて柔軟にモニターを選択することができる。
【図面の簡単な説明】
【０００８】
【図１】考案の実施形態に係る広告画像再生装置の斜視図である。
【図２】再生装置本体の構成を模式的に示すブロック図である。
【図３】考案の実施形態に係る広告画像再生装置の使用状態を示す斜視図である。
【符号の説明】
【０００９】
Ｘ  広告画像再生装置
１０  再生装置本体
１１  制御装置
１２  ＰＣカードリーダー
１３ａ  リモコン装置
１３ｂ  赤外線受光部
１４  キーパッド
１５  モーションセンサー
１６  電源入力端子
１７  ＶＧＡ出力端子
１８  オーディオ出力端子
１９  電源出力端子
２０  ケーシング
２１  取り付け穴
３０  ネジ
【図１】
0003109615.tif 000003
【図２】
0003109615.tif 000004
【図３】
0003109615.tif 000005